(57)【要約】【課題】アルコール飲料等の容器に用いられるコルク栓に関し、具体的にはコルク栓の打栓時に発生するダストを防止するコルク栓を提供することを目的としている。【解決手段】コルク栓１の接液面側の端面１ａにアルミニウム箔２を接着剤３を介して接着形成する。これによりコルク栓１の表面にアルミニウム箔２が形成され遮断性、耐水性、耐熱性、耐アルコール性が付与されて味移りが防止される。【選択図】図１
2004284673.tif 000002
【特許請求の範囲】
【請求項１】
天然コルクを抜き形成するかあるいは天然コルクをコルク粒に粉砕して圧搾成形などしたコルク栓において、
前記コルク栓の接液面側の端面に薄状シートを接着剤を介して接着形成したことを特徴とするコルク栓。
【請求項２】
前記コルク栓の接液面側の端面には、凹部が形成されており、その部分の全体を、前記薄状シートで覆ったことを特徴とする請求項１に記載のコルク栓。
【請求項３】
前記凹部が凹凸連成部により形成されていることを特徴とする請求項２に記載のコルク栓。
【請求項４】
前記凹凸連成部は、同心円状で波形状の切込み溝を形成した構造になっていることを特徴とする請求項３に記載のコルク栓。
【請求項５】
前記凹凸連成部は、三角形、四角形、六角形などの多角形状を形成した構造になっていることを特徴とする請求項３に記載のコルク栓。
【請求項６】
前記凹部が接液面側の端面の周辺部から中央部に向かう凹曲面により形成されていることを特徴とする請求項２に記載のコルク栓。
【請求項７】
前記薄状シートは、アルミニウム、樹脂フィルム、金、白金などの貴金属箔、金属箔をラミネートした紙或いは樹脂フィルムのいずれかで形成されていることを特徴とする請求項１から６のいずれかに記載のコルク栓。
【請求項８】
前記コルク栓の非接液面側の端面には、前記凹部が形成されており、その部分の全体を、前記薄状シートで覆ったことを特徴とする請求項１から７のいずれかに記載のコルク栓。
【発明の詳細な説明】
【０００１】
【発明の属する技術分野】
本発明は、主にアルコール飲料容器（瓶、ボトルなど）の密封のために用いられるコルク材から形成されたコルク栓に関し、具体的にはコルク栓の打栓時に多く発生するダスト発生を防止するコルク栓に関するものである。
【０００２】
【従来の技術】
コルク栓は主にアルコール飲料容器（瓶、ボトルなど）の栓として何千年の歴史を持ち、その優れたシール性のために合成樹脂材の発達した現在においても、ワイン栓あるいはウイスキー栓等の高級飲料の栓として広く使用されている。
【０００３】
このようなコルク栓は、主に天然コルクからくり貫き抜き形成されており、価格とか要求性能によっては適当粒度に整粒したコルク粒へ接着剤を混合した後これを加熱加圧して圧搾コルク板あるいは圧搾コルク棒を形成し、これを抜き加工あるいは切断加工してコルク栓を得たものも普及している。
【０００４】
このようなコルク栓は当然ながら外表面が全て露出するものであり、打栓した状態ではその接液面（付近の周面も含む）はコルク細胞がそのまま露出している。
【０００５】
前記したように、コルク栓は瓶口に絞り圧縮して打栓されるとその強変形によってコルクダストが発生し易く、このコルクダストは該内容液内へ落下し浮遊するので著しく品質に不安を抱かせるものとなる。
また、コルク栓の接液面および接液面近くの周側面部は内容液と直接接するものとなっており、長期間の接触によって該内容液にコルク味あるいはコルク臭が移ったり、内容液が（多くの場合アルコール含有液であるので）該コルク細胞に染み込んでコルク栓の外表面が見苦しく変色するなどの不具合を発生させる。
【０００６】
この種の不具合を解消するために、例えば特許文献１のように、コルク栓の上端面にプラスチックフィルムをラミネートしてコルク細胞と内容液とを遮断するコルク栓の製造方法が用いられている。
【０００７】
【特許文献１】
特開平０１−１５６００３号公報
【０００８】
【発明が解決しようとする課題】
このコルク栓の製造方法では、プラスチックフィルムをコルク栓に重ね合せ、その上から熱板でプレスしてラミネートし、加圧状態のまま冷却してプラスチックフィルムの貼られたコルク栓を製造している。
【０００９】
それゆえ、このようなコルク栓の製造では、多くの成形時間と製造工程を要するもので、成形作業性が悪く到底安価な量産を望めないという致命的な問題点を残している。
【００１０】
本発明はこのような欠点を克服して、ダストの発生を抑え、コルク味・臭い移りを防止し、さらにシール性と成形性に優れたコルク栓を提供することを目的とする。
【００１１】
【課題を解決するための手段】
請求項１に記載のコルク栓は、天然コルクを抜き形成するかあるいは天然コルクをコルク粒に粉砕して圧搾成形などしたコルク栓において、前記コルク栓の接液面側の端面に薄状シートを接着剤を介して接着形成したことを特徴とする。
【００１２】
請求項２に記載のコルク栓は、前記コルク栓の接液面側の端面には、凹部が形成されており、その部分の全体を、上記薄状シートで覆ったことを特徴とする。
【００１３】
請求項３に記載のコルク栓は、前記凹部が凹凸連成部により形成されていることを特徴とする。
【００１４】
請求項４に記載のコルク栓は、前記凹凸連成部は、同心円状で波形状の切込み溝を形成した構造になっていることを特徴とする。
【００１５】
請求項５に記載のコルク栓は、前記凹凸連成部は、三角形、四角形、六角形などの多角形状に形成した構造になっていることを特徴とする。
【００１６】
請求項６に記載のコルク栓は、前記凹部が接液面側の端面の周辺部から中央部に向かう凹曲面により形成されていることを特徴とする
請求項７に記載のコルク栓は、前記薄状シートは、アルミニウム、樹脂フィルム、金、白金などの貴金属箔、金属箔をラミネートした紙或いは樹脂フィルムのいずれかで形成されていることを特徴とする。
【００１７】
請求項８に記載のコルク栓は、前記コルク栓の非接液面側の端面には、前記凹部が形成されており、その部分の全体を、上記薄状シートで覆ったことを特徴とする。
【００１８】
【発明の実施の形態】
以下、添付図を参照しつつ、本発明の実施の形態について説明する。
図１は本発明のコルク栓の斜視図の一例、図２は同縦断面図である。図１、２において、１はコルク栓、１ａは接液面側の端面、２はアルミニウム箔（薄状シート）、２ａは凹凸連成部、２ｂは切込み溝、３は接着剤を示す。このコルク栓１は、天然コルクをそのまま抜き形成するかあるいは天然コルクをコルク粒に粉砕して圧搾成形などして形成される。
【００１９】
図１、２では、薄状シート２の一例としてアルミニウム箔２で覆った場合を示している。このアルミニウム箔２は、不透性であり、経時変化しない高強度で、耐水性、耐アルコール性に強い等の特性があるため、アルコール飲料等の容器の栓として使用した場合、完全に内容液（例えばワイン、ウイスキーなどのアルコール）がコルクから遮断されるものとなり、薄状シート２として適している。その他薄状シート２には、樹脂フィルム、貴金属箔、金属箔をラミネートした紙或いは樹脂フィルムなどでもよい。薄状シート２の厚みは、１０〜４００μｍの範囲内で、２０〜１００μｍ程度が好ましい。
【００２０】
樹脂フィルムとしては、具体的にポリエチレンテレフタレート製（ＰＥＴフィルム）、ポリプロピレン製（ＰＰ、ＯＰＰ、ＣＰＰ、ＯＰＰとＣＰＰを貼り合わせたものでもよい）、ナイロン製、ポリエチレン製（ＰＥ）のシートが挙げられる。また、紙にこれら樹脂素材をラミネートさせたものでもよい。貴金属箔としては、展性に優れた金、白金等が挙げられる。貴金属箔を使用すれば、高級品趣向に訴える効果も期待できる。いずれにしても要は、コルクの収縮時に柔軟に変形するもので、内容液（例えばワイン、ウイスキーなどのアルコール）と接触しても化学反応せずに人体に無害な素材であって、遮断性、耐水性、耐アルコール性があればよい。
【００２１】
よって、コルク栓１の接液面側の端面１ａを薄状シート２で覆うことにより、コルクダストの発生を抑え、コルク味・臭い移りを防止することができ、またシール性と成形性に優れたものとなり、さらにはコルク栓１の外観を見苦しく汚すことを防止しでき、ワイン栓あるいはウイスキー栓等の飲料のコルク栓１として大いに適したものとなっている。特にワインやウイスキー容器の瓶口に打栓する際の強圧縮により発生し易いコルクダストの内容液内への落下をこの薄状シートで防止し、ワインやウイスキーの本来の味を保持することができる。
【００２２】
また本発明のコルク栓１の凹凸連成部２ａと薄状シート２は接着剤３で圧着し接着することで簡単に造形される。この接着剤３としては、ウレタン系、エポキシ系、エポキシ・ウレタン系、スチレン−イソプレン−スチレン系樹脂、ホットメルト接着剤などが挙げられる。これら接着剤も薄状シートと同様、内容液（例えばワイン、ウイスキーなどのアルコール）と接触しても化学反応せずに人体に無害なものであればよい。
【００２３】
これによれば、製造工程が容易であるため、安価に量産をすることができる。
【００２４】
図１、２では、凹凸連成部２ａは同心円状を形成し波形状の切込み溝２ｂで構成されたものを示しているが、この凹凸連成部２ａの形状は図１、２に示した形状に限られない。図３に、凹凸連成部２ａの形状の他の変形例を表した平面図を示す。図３（ａ）は三角形を連成して構成されたものの一例である。連成する三角形は、正三角形、辺の長さが不統一の直角三角形であってもよい。図３（ｂ）は四角形を連成して構成されたものの一例である。連成する四角形は、図のように正四角形でも、長方形でも、並行四辺形、ひし形であってもよい。図３（ｃ）は正六角形を連成して構成されたものの一例である。これら連成される多角形は、平面に均一に切込み溝が構成できる形状が望ましく、コルクの弾性変形、特に収縮時に、薄状シート２の弛み部分を吸収するために設けているものであるため、正多角形であることが望ましい。図３（ｄ）は網目状に構成されたものの一例である。網目の形状はこの形状に限られない。その他、たとえば連続するアルファベット文字や酒造メーカーのブランド名やブランドマークなどでもよい。いずれにしても要は、平面に均一に、また一定の規則性をもった図形が連成されていればよく、このようなさまざまな形状の凹凸連成部２ａは、コルクの弾性変形、特に収縮時に、薄状シート２の弛み部分を吸収するために構成される。また切込み溝２ｂの形状は同心円状のときにおいても波形状に限られず、角状の溝でもよい。
【００２５】
これによれば、コルク栓１に設けた凹凸連成部２ａに薄状シート２を圧着接着するため、接液面側の端面１ａに形成された形状がそのまま表れるものとなり、コルク栓１を打栓時に絞り圧縮を行ってもその凹凸連成部２ａが絞り変形を吸収せしめ、装着時に絞り圧縮の多くが解放されても薄状シート２は凹凸連成部２ａの形状に復元するのでシワにならず、良好な外観を保つことができる。
【００２６】
図４は本発明の別実施形態を示すものであり、接液面側の端面１ａには、凹部としてその周辺部から中央部に向かう凹曲面２ｃが形成され、その部分の全体を、接着剤３を介して薄状シート２で覆った構成としている。接液面側の端面１ａの凹部の形状が、このような凹曲面２ｃであっても、打栓時のコルクの弾性変形、特に収縮は、凹曲面２ｃの形状を中心方向に変形させるものとして作用することになり、薄状シート２の弛みを生じることなくこの凹曲面２ｃによって吸収される。従って、打栓時のコイルダストの落下防止等の効果が上記実施形態と同様に発揮され、望ましく採用される。尚、凹部の形状は、これら図例のものに限定されず、打栓時の収縮力を吸収し得るものであれば、他の形状も採用可能である。
【００２７】
また、図１、２、４では、コルク栓の接液面側の端面１ａにのみ凹部（凹凸連成部２ａ、凹曲面２ｃ）を形成し、その部分の全体を薄状シートで覆ったものを示しているが、非接液面側の端面にも同様の加工をしてもよい（不図示）。このように両端面に凹部（凹凸連成部２ａ、凹曲面２ｃ）を形成し、その部分の全体を薄状シート２で覆えば、機械作業や手作業等で瓶口にコルク栓１で打栓する際に、接液方向を問わず作業できるので作業効率が上がる。
【００２８】
【発明の効果】
以上の説明からも理解できるように、本発明の請求項１に記載のコルク栓は、薄状シートがコルク材の接液面を包み込むので、内容液（例えばワイン、ウイスキーなどのアルコール）がコルク細胞から離され、コルク味・臭い移りを防止し、内容液への味移りを完全に遮断することができる。しかも弾力性、柔軟性が維持されるので最適な密封力と抜栓力が得られるなど理想的なコルク栓が提供できるものとなる。またコルク栓の打栓時に多く発生するコルクダストの発生を防止できる。さらに、コルク栓と薄状シートの圧着が容易であるため、製造工程が容易で、安価に量産をすることができる。
【００２９】
請求項２から６に記載のコルク栓は、打栓時のコルクの弾性変形、特に収縮を薄状シートを弛ませることなく吸収することができ、打栓時に絞り圧縮を行っても絞り変形を吸収せしめ、装着時に絞り圧縮の多くが解放されても薄状シートは復元するのでシワにならず、良好な外観を保つことができる。
【００３０】
請求項７に記載のコルク栓は、遮断性、耐水性、耐アルコール性がある薄状シートで覆われるため、コルクダストの発生を抑え、コルク味・臭い移りを防止することができ、またシール性と成形性に優れたものとなり、さらにはコルク栓の外観を見苦しく汚すことを防止できる。
【００３１】
請求項８に記載のコルク栓は、機械作業や手作業等で瓶口にコルク栓で打栓する際に、接液方向を問わず作業できるので作業効率を上げることができる。
【図面の簡単な説明】
【図１】本発明の一実施例を示す斜視図である。
【図２】図１の縦断面図である。
【図３】凹凸連成部の形状の変形例を表す平面図である。
【図４】別実施形態の図２と同様図である。
【符号の説明】
１    コルク栓
１ａ  接液面側の端面
２    アルミニウム箔（薄状シート）
２ａ  凹凸連成部（凹部）
２ｂ  切込み溝
２ｃ  凹曲面（凹部）
３    接着剤
【図１】
2004284673.tif 000003
【図２】
2004284673.tif 000004
【図３】
2004284673.tif 000005
【図４】
2004284673.tif 000006